(57)【要約】【課題】交換作業を効率的に行うことができるイオン発生装置及びイオン発生システムを提供する。【解決手段】ＰＣＩ制御回路５１〜５４は、複数のイオン発生ユニット４１〜４４の通算動作時間を計時する。マイクロコンピュータ５０は、いずれかのイオン発生ユニットの通算動作時間が時間Ｔ１以上である場合、当該イオン発生ユニット以外のイオン発生ユニットの通算動作時間が時間Ｔ２（＜Ｔ１）以上であるか否かを判定する。マイクロコンピュータ５０は、通算動作時間が時間Ｔ１以上のイオン発生ユニット以外のイオン発生ユニットの通算動作時間が時間Ｔ２（＜Ｔ１）以上であると判定した場合、通算動作時間が時間Ｔ１以上のイオン発生ユニットに加えて、通算動作時間が時間Ｔ２以上であって時間Ｔ１未満のイオン発生ユニットを通知対象として通知する。【選択図】図５
2013105601.tif 000002
【特許請求の範囲】
【請求項１】
複数のイオン発生ユニットで発生したイオンを複数の吹出口から放出するイオン発生装置において、
前記複数のイオン発生ユニットそれぞれの通算動作時間を計時する計時部と、
いずれかのイオン発生ユニットの通算動作時間が時間Ｔ１以上である場合、該イオン発生ユニット以外のイオン発生ユニットの通算動作時間が時間Ｔ２（＜Ｔ１）以上であるか否かを判定する判定部と、
通算動作時間が時間Ｔ２以上のイオン発生ユニット及び前記いずれかのイオン発生ユニットを通知対象として通知する通知部と
を備えることを特徴とするイオン発生装置。
【請求項２】
前記判定部は、
前記複数のイオン発生ユニットのいずれかの通算動作時間が時間Ｔ３（≦Ｔ２）以上であるか否かを判定するようにしてあり、
前記判定部で通算動作時間が時間Ｔ３以上であると判定した場合に、報知する報知部と、
前記報知の対象となるイオン発生ユニットを通知するための通知要求信号を外部装置から取得する取得部と
をさらに備え、
前記通知部は、
前記取得部で通知要求信号を取得した場合、前記報知の対象となるイオン発生ユニットを通知するように構成してあることを特徴とする請求項１に記載のイオン発生装置。
【請求項３】
前記複数の吹出口それぞれに風向を調整する風向調整板を設けてあり、
前記通知部は、
通知対象のイオン発生ユニットからのイオンが放出される吹出口の風向調整板を所定の開閉状態にして通知するように構成してあることを特徴とする請求項１又は請求項２に記載のイオン発生装置。
【請求項４】
前記複数の吹出口それぞれに表示部を設けてあり、
前記通知部は、
通知対象のイオン発生ユニットからのイオンが放出される吹出口の表示部を所定の表示状態にして通知するように構成してあることを特徴とする請求項１又は請求項２に記載のイオン発生装置。
【請求項５】
複数のイオン発生ユニットで発生したイオンを複数の吹出口から放出するイオン発生装置を複数備えるイオン発生システムにおいて、
各イオン発生装置は、
自装置の前記複数のイオン発生ユニットそれぞれの通算動作時間を計時する計時部と、
自装置のいずれかのイオン発生ユニットの通算動作時間が時間Ｔ１以上である場合、その旨の情報を他のイオン発生装置へ送信する送信部と、
通算動作時間が時間Ｔ１以上のイオン発生ユニットを通知対象として通知する通知部と
を備え、
前記他のイオン発生装置は、
前記情報を受信する受信部と、
該受信部で前記情報を受信した場合、自装置の複数のイオン発生ユニットの通算動作時間が時間Ｔ２（＜Ｔ１）以上であるか否かを判定する判定部と、
通算動作時間が時間Ｔ２以上のイオン発生ユニットを通知対象として通知する通知部と
を備えることを特徴とするイオン発生システム。
【発明の詳細な説明】
【技術分野】
【０００１】
本発明は、イオンを発生させるイオン発生装置及びイオン発生システムに関する。
【背景技術】
【０００２】
従来、脱臭作用や除菌作用を有する液体から霧を発生させ、ファンを用いて発生させた気流によって霧を室内に拡散させることにより、室内の壁面等の脱臭や除菌をすることが可能な空気清浄機が実用化されている。
【０００３】
例えば、空気吸引口から空気を吸い込み、イオン発生部で発生したイオンを含んだ空気を複数の空気吹出口から吹き出すイオン発生装置が開示されている（特許文献１参照）。
【０００４】
このようなイオン発生装置では、複数の空気吹出口それぞれにイオン発生部及びイオンセンサなどを設けている。そして、イオン発生部の通算動作期間を記録し、イオン発生部の通算動作時間が所定の寿命時間以上になった場合、イオン発生部の交換を促すため警告灯などを点灯させる。
【先行技術文献】
【特許文献】
【０００５】
【特許文献１】特開２０１０−２９５５３号公報
【発明の概要】
【発明が解決しようとする課題】
【０００６】
しかし、特許文献１のような複数のイオン発生部を備えるイオン発生装置では、それぞれのイオン発生部は個別に交換可能であるので、交換時期となる時点がイオン発生部毎に異なる。例えば、警告灯が点灯して、一のイオン発生部を交換したにもかかわらず、別のイオン発生部の通算動作時間が寿命時間に近づいていたため、一のイオン発生部を交換した時点からあまり日数（時間）が経過していない時点で別のイオン発生部を交換しなければならない事態が起こり得る。このため、交換作業を効率的に行うことができるイオン発生装置が望まれていた。
【０００７】
本発明は斯かる事情に鑑みてなされたものであり、交換作業を効率的に行うことができるイオン発生装置及びイオン発生システムを提供することを目的とする。
【課題を解決するための手段】
【０００８】
本発明に係るイオン発生装置は、複数のイオン発生ユニットで発生したイオンを複数の吹出口から放出するイオン発生装置において、前記複数のイオン発生ユニットそれぞれの通算動作時間を計時する計時部と、いずれかのイオン発生ユニットの通算動作時間が時間Ｔ１以上である場合、該イオン発生ユニット以外のイオン発生ユニットの通算動作時間が時間Ｔ２（＜Ｔ１）以上であるか否かを判定する判定部と、通算動作時間が時間Ｔ２以上のイオン発生ユニット及び前記いずれかのイオン発生ユニットを通知対象として通知する通知部とを備えることを特徴とする。
【０００９】
本発明にあっては、計時部は、複数のイオン発生ユニットそれぞれの通算動作時間を計時する。判定部は、いずれかのイオン発生ユニットの通算動作時間が時間Ｔ１以上である場合、当該イオン発生ユニット以外のイオン発生ユニットの通算動作時間が時間Ｔ２（＜Ｔ１）以上であるか否かを判定する。時間Ｔ１は、所定の寿命時間であり、例えば、１９０００時間などである。また、時間Ｔ２は、時間Ｔ１より短い時間であって、例えば、寿命時間には到達していないものの寿命時間に近い時間である。例えば、時間Ｔ１が１９０００時間とすると、時間Ｔ２は時間Ｔ１より５００時間だけ短い時間とすることができる。なお、時間Ｔ１、Ｔ２は、イオン発生ユニットに応じて適宜決定されるものである。
【００１０】
判定部で当該イオン発生ユニット以外のイオン発生ユニットの通算動作時間が時間Ｔ２（＜Ｔ１）以上であると判定した場合、通知部は、通算動作時間が時間Ｔ１以上のイオン発生ユニットに加えて、通算動作時間が時間Ｔ２以上（より正確には、通算動作時間が時間Ｔ２以上であって時間Ｔ１未満）のイオン発生ユニットを通知対象として通知する。これにより、寿命となったイオン発生ユニットがある場合に、間もなく寿命となるイオン発生ユニットも存在するときは、両者のイオン発生ユニットを交換すべき対象として通知する。すなわち、寿命となったイオン発生ユニットが存在する場合に、寿命に近いイオン発生ユニットも存在するときは、同時に交換時期であることを通知する。これにより、一のイオン発生ユニットを交換した時点からあまり日数（時間）が経過していない時点で別のイオン発生ユニットを交換しなければならない事態を防止して、交換作業を効率的に行うことができる。
【００１１】
本発明に係るイオン発生装置は、前記判定部は、前記複数のイオン発生ユニットのいずれかの通算動作時間が時間Ｔ３（≦Ｔ２）以上であるか否かを判定するようにしてあり、前記判定部で通算動作時間が時間Ｔ３以上であると判定した場合に、報知する報知部と、前記報知の対象となるイオン発生ユニットを通知するための通知要求信号を外部装置から取得する取得部とをさらに備え、前記通知部は、前記取得部で通知要求信号を取得した場合、前記報知の対象となるイオン発生ユニットを通知するように構成してあることを特徴とする。
【００１２】
本発明にあっては、判定部は、複数のイオン発生ユニットのいずれかの通算動作時間が時間Ｔ３（≦Ｔ２）以上であるか否かを判定する。時間Ｔ３は、イオン発生ユニットの点検又は清掃等の実施時期を特定するための時間であり、あるいはイオン発生ユニットの交換時期が近いことを知らせる通知時点を特定するための時間であり、寿命による交換時期（時間Ｔ１、Ｔ２）より短い時間である。判定部で通算動作時間が時間Ｔ３以上であると判定した場合に、報知部はその旨を報知する。報知部は、例えば、ＬＥＤランプなどを用いることができる。そして、保守要員等が、点検又は清掃対象のイオン発生ユニットを特定するため、例えば、リモートコントロール等の外部装置から報知の対象となるイオン発生ユニットを通知するための通知要求信号を送信した場合、取得部は当該通知要求信号を取得する。取得部は、例えば、リモートコントロール等の受光部である。
【００１３】
通知部は、取得部で通知要求信号を取得した場合、報知の対象となるイオン発生ユニットを通知する。これにより、仮にいずれかのイオン発生ユニットが点検又は清掃等の時期に到達した場合でも、保守要員等が点検又は清掃作業を行うまではイオン発生ユニットの動作及びイオン発生装置の運転を継続することができる。また、保守要員等の点検又は清掃作業時に、いずれのイオン発生ユニットを点検又は清掃すればよいかを容易に確認することができるので、点検又は清掃等の作業の能率を高めることができる。
【００１４】
本発明に係るイオン発生装置は、前記複数の吹出口それぞれに風向を調整する風向調整板を設けてあり、前記通知部は、通知対象のイオン発生ユニットからのイオンが放出される吹出口の風向調整板を所定の開閉状態にして通知するように構成してあることを特徴とする。
【００１５】
本発明にあっては、複数の吹出口それぞれに風向を調整する風向調整板を設けてある。通知部は、通知対象のイオン発生ユニットからのイオンが放出される吹出口の風向調整板を所定の開閉状態にして通知する。例えば、通知対象のイオン発生ユニットに対応する風向調整板を閉じた状態にし、通知対象以外のイオン発生ユニットに対応する風向調整板を開いた状態にすることができる。例えば、寿命により交換対象となったイオン発生ユニットだけを動作停止し、交換対象ではないイオン発生ユニットの動作を継続することができる。また、交換対象のイオン発生ユニットがある場合に、イオン発生装置の運転を停止するときには、通知対象のイオン発生ユニットに対応する風向調整板を開いた状態又は開閉動作を繰り返す状態にし、通知対象以外のイオン発生ユニットに対応する風向調整板を閉じた状態にすることもできる。風向調整板の開閉状態により、複数のイオン発生ユニットの中から交換対象のものを容易に確認することができる。
【００１６】
本発明に係るイオン発生装置は、前記複数の吹出口それぞれに表示部を設けてあり、前記通知部は、通知対象のイオン発生ユニットからのイオンが放出される吹出口の表示部を所定の表示状態にして通知するように構成してあることを特徴とする。
【００１７】
本発明にあっては、複数の吹出口それぞれに表示部を設けてある。通知部は、通知対象のイオン発生ユニットからのイオンが放出される吹出口の表示部を所定の表示状態にして通知する。例えば、通知対象のイオン発生ユニットに対応する表示部を点灯又は点滅状態にし、通知対象以外のイオン発生ユニットに対応する表示部を消灯状態にすることができる。表示部の表示状態により、複数のイオン発生ユニットの中から点検又は清掃対象、あるいは交換対象のものを容易に確認することができる。
【００１８】
本発明に係るイオン発生システムは、複数のイオン発生ユニットで発生したイオンを複数の吹出口から放出するイオン発生装置を複数備えるイオン発生システムにおいて、各イオン発生装置は、自装置の前記複数のイオン発生ユニットそれぞれの通算動作時間を計時する計時部と、自装置のいずれかのイオン発生ユニットの通算動作時間が時間Ｔ１以上である場合、その旨の情報を他のイオン発生装置へ送信する送信部と、通算動作時間が時間Ｔ１以上のイオン発生ユニットを通知対象として通知する通知部とを備え、前記他のイオン発生装置は、前記情報を受信する受信部と、該受信部で前記情報を受信した場合、自装置の複数のイオン発生ユニットの通算動作時間が時間Ｔ２（＜Ｔ１）以上であるか否かを判定する判定部と、通算動作時間が時間Ｔ２以上のイオン発生ユニットを通知対象として通知する通知部とを備えることを特徴とする。
【００１９】
本発明にあっては、各イオン発生装置の計時部は、複数のイオン発生ユニットそれぞれの通算動作時間を計時する。各イオン発生装置は、自装置のいずれかのイオン発生ユニットの通算動作時間が時間Ｔ１以上である場合、その旨の情報を他のイオン発生装置へ送信部により送信するとともに、通算動作時間が時間Ｔ１以上のイオン発生ユニットを通知対象として通知部で通知する。他のイオン発生装置は、その旨の情報を受信部で受信し、自装置の複数のイオン発生ユニットの通算動作時間が時間Ｔ２（＜Ｔ１）以上であるか否かを判定部により判定する。そして、他のイオン発生装置は、通算動作時間が時間Ｔ２以上（より正確には、通算動作時間が時間Ｔ２以上であって時間Ｔ１未満）のイオン発生ユニットを通知対象として通知部で通知する。時間Ｔ１は、所定の寿命時間であり、例えば、１９０００時間などである。また、時間Ｔ２は、時間Ｔ１より短い時間であって、例えば、寿命時間には到達していないものの寿命時間に近い時間である。例えば、時間Ｔ１が１９０００時間とすると、時間Ｔ２は時間Ｔ１より５００時間だけ短い時間とすることができる。なお、時間Ｔ１、Ｔ２は、イオン発生ユニットに応じて適宜決定されるものである。
【００２０】
これにより、複数のイオン発生装置を備えるイオン発生システムにおいて、一のイオン発生装置で寿命となったイオン発生ユニットがある場合に、当該一のイオン発生装置だけでなく、他のイオン発生装置で間もなく寿命となるイオン発生ユニットも存在するときは、両者のイオン発生装置内の該当のイオン発生ユニットを交換すべき対象として通知する。すなわち、寿命となったイオン発生ユニットが一のイオン発生装置で存在する場合に、他のイオン発生装置において寿命に近いイオン発生ユニットも存在するときは、同時に交換時期であることを通知する。これにより、一のイオン発生装置のイオン発生ユニットを交換した時点からあまり日数（時間）が経過していない時点で別のイオン発生装置のイオン発生ユニットを交換しなければならない事態を防止して、交換作業を効率的に行うことができる。
【発明の効果】
【００２１】
本発明によれば、一のイオン発生ユニットを交換した時点からあまり日数（時間）が経過していない時点で別のイオン発生ユニットを交換しなければならない事態を防止して、交換作業を効率的に行うことができる。
【図面の簡単な説明】
【００２２】
【図１】本実施の形態のイオン発生装置のルーバを閉じた状態の構成の一例を示す外観斜視図である。
【図２】本実施の形態のイオン発生装置のルーバを開いた状態の構成の一例を示す外観斜視図である。
【図３】本実施の形態のイオン発生装置の内部構成の一例を示す斜視図である。
【図４】本実施の形態のイオン発生ユニットの一例を示す外観斜視図である。
【図５】本実施の形態のイオン発生装置の構成の一例を示すブロック図である。
【図６】本実施の形態のイオン発生装置によるイオン発生ユニットの通算動作時間の判定の一例を示す説明図である。
【図７】本実施の形態のイオン発生装置によるイオン発生ユニットの通算動作時間の判定の他の例を示す説明図である。
【図８】本実施の形態のイオン発生装置のイオン発生ユニットの交換時の様子の一例を示す平面図である。
【図９】本実施の形態のイオン発生装置の処理手順の一例を示すフローチャートである。
【図１０】本実施の形態のイオン発生装置の処理手順の一例を示すフローチャートである。
【図１１】本実施の形態のイオン発生装置の処理手順の一例を示すフローチャートである。
【図１２】本実施の形態のイオン発生システムの構成の一例を示すブロック図である。
【発明を実施するための形態】
【００２３】
以下、本発明をその実施の形態を示す図面に基づいて説明する。図１は本実施の形態のイオン発生装置１００のルーバを閉じた状態の構成の一例を示す外観斜視図であり、図２は本実施の形態のイオン発生装置１００のルーバを開いた状態の構成の一例を示す外観斜視図であり、図３は本実施の形態のイオン発生装置１００の内部構成の一例を示す斜視図である。イオン発生装置１００は、一面が開口した箱状のケース１、ケース１の開口面に装着される矩形状のパネル２などを備える。
【００２４】
ケース１を天井面などの取付面に設けた開口内に収容することにより、取付面にパネル２を取り付ける。イオン発生装置１００を天井に設置した状態では、取付面からパネル２が露出した形となり、イオン発生装置１００は、いわゆる天井埋込型のイオン発生装置である。
【００２５】
パネル２は、中央部に矩形状の空気の取入口１０を設けてあり、取入口１０を設けた箇所の高さ寸法（厚み寸法）が大きく、パネル２の中央部から周部に向かって高さ寸法が小さくなるようにパネル２の表面（前面）を取入口１０の面に対して傾斜させてある。
【００２６】
パネル２の周縁部には、矩形状の空気の吹出口１１、１２、１３、１４を設けてある。また、それぞれの吹出口１１〜１４には、風向調整板であるルーバ２１、２２、２３、２４を設けてある。
【００２７】
ルーバ２１〜２４は、吹出口１１〜１４と略同寸法を有する矩形状をなす。ルーバ２１〜２４は、パネル２の周縁部と反対側の吹出口１１〜１４の縁部に沿った軸回りに回動可能に設けられている。ルーバ２１〜２４の回動動作は、後述のルーバ制御回路５８により制御される。ルーバ２１〜２４を閉じることにより、吹出口１１〜１４はルーバ２１〜２４で覆われる。また、ルーバ２１〜２４を適宜の角度（例えば、取入口１０の面に対する角度）で開くことにより、吹出口１１〜１４から吹き出されるイオンを含む空気は、ルーバ２１〜２４の内側面に当たって風向を調整することができる。また、吹出口１１〜１４から吹き出されるイオンを含む空気は、パネル２の中央部から周縁部へ向かう方向に吹き出すことができる。
【００２８】
吹出口１１〜１４の近傍には、それぞれの吹出口１１〜１４に対応させて表示部としてのＬＥＤ３１、３２、３３、３４を設けてある。ＬＥＤ３１〜３４は、例えば、取入口１０の周縁部と各吹出口１１〜１４の端部との間に設けることができる。
【００２９】
ＬＥＤ３１〜３４には、点灯時の光で、例えば、ルーバ２１〜２４の外側面の所望の領域を照らすことができるように導光部材（不図示）を設けることもできる。これにより、ルーバ２１〜２４の開閉状態に関わらず、ルーバ２１〜２４の外側表面の所望の領域を光らせることができ、外部からの視認性を高めることができる。
【００３０】
パネル２の前面には、点検又は清掃等の時期を報知する報知部としてのＬＥＤランプ（警告灯）、リモートコントロール等の外部装置から所定の信号を取得する取得部としての受光部などを備える表示パネル２５を設けてある。
【００３１】
例えば、表示パネル２５は、複数のＬＥＤランプを備え、イオン発生装置１００が運転状態であることを示すＬＥＤランプ（運転ランプ）、イオン発生ユニットの点検又は清掃等の報知（警告）するＬＥＤランプ（警告灯）ランプなどを備える。
【００３２】
また、図３に示すように、ケース１の中央部には、ファン３を設けてある。ファン３は、いわゆるターボファンであり、回転軸方向に立設した複数の羽板を備える。羽板は、ファン３の周方向に沿って傾斜させてある。すなわち、ファン３の回転軸から羽板の両端部までの半径方向に沿った距離が異なり、ファン３を回転させることにより、羽板が空気を外側に押し出すようにしてある。これにより、ファン３が回転することにより、取入口から空気が取り込まれ、ファン３の回転により、取り込まれた空気は、それぞれの吹出口１１〜１４からイオンを含んだ状態で放出される。
【００３３】
図２又は図３に示すように、それぞれの吹出口１１〜１４の内側には、イオン発生ユニット４１、４２、４３、４４を装着している。
【００３４】
図４は本実施の形態のイオン発生ユニット４１の一例を示す外観斜視図である。なお、他のイオン発生ユニット４２〜４４もイオン発生ユニット４１と同等であるので、以下では、イオン発生ユニット４１について説明する。
【００３５】
イオン発生ユニット４１は、箱状の収容部４１１を備え、収容部４１１には、正イオン及び負イオンを発生する電極部４１３、４１２を備えたイオン発生部、イオンセンサ４１４などを収容している。
【００３６】
イオン発生部は、矩形状の板状体であり、一方の端部近傍にマイナスイオンを発生させる電極部４１２を設けてあり、他方の端部近傍にプラスイオンを発生させる電極部４１３を設けてある。
【００３７】
収容部４１１の一側端部には、イオン発生ユニット４１を機械的及び電気的に接続するためのコネクタ４１５を備える。また、収容部４１１の一側端部には、イオン発生ユニット４１をケース１に固定するためのねじ部４１６を設けてある。
【００３８】
イオン発生ユニット４１は、空気中の水蒸気をプラズマ放電によりイオン化することにより、プラスイオンとしてのＨ+ （Ｈ2 Ｏ）n （ｎは任意の自然数）と、マイナスイオンとしてのＯ2 - （Ｈ2 Ｏ）m （ｍは任意の自然数）とを発生する。そして、これらが化学反応することにより、活性種である過酸化水素（Ｈ2 Ｏ2 ）及び／又は水酸基ラジカル（ＯＨ）が生成され、空気中の浮遊細菌や浮遊ウィルス等が除去される。
【００３９】
これにより、それぞれの吹出口１１〜１４は、独立にプラスイオンを含む空気、及びマイナスイオンを含む空気を吹き出すことができ、イオン発生装置１００から吹き出した空気中のプラスイオンとマイナスイオンとが直ちに中和することを防止できる。そして、イオンの中和を防止することにより、イオンの拡散性を向上させることができる。
【００４０】
図５は本実施の形態のイオン発生装置１００の構成の一例を示すブロック図である。イオン発生装置１００は、マイクロコンピュータ５０、イオン発生ユニット４１〜４４、ＰＣＩ制御回路５１〜５４、リモコン受光部５５、所定のデータを記憶するメモリ５６、ファン３、ファン３の運転・停止及び回転数等を制御するファン制御回路５７、ルーバ２１〜２４、ルーバ２１〜２４の開閉を駆動するルーバ制御回路５８、表示部３１〜３４、表示部３１〜３４の点灯、点滅及び消灯を制御する表示部制御回路５９などを備える。
【００４１】
ＰＣＩ制御回路５１〜５４は、マイクロコンピュータ５０からの指令を受けて、イオン発生ユニット４１〜４４の駆動、停止を制御する。例えば、イオン発生ユニット４１〜４４を連続駆動（連続にイオンを発生させる）し、あるいは、イオン発生ユニット４１〜４４を間欠駆動（所定の間隔でオン／オフを繰り返すことで、間欠的にイオンを発生させる）する。
【００４２】
また、ＰＣＩ制御回路５１〜５４は、イオン発生ユニット４１〜４４の通算動作時間を計時する計時部としての機能を有する。なお、当該計時部の機能をマイクロコンピュータ５０が実行する構成でもよい。
【００４３】
また、ＰＣＩ制御回路５１〜５４は、イオン発生ユニット４１〜４４の動作が正常であるか否かを判定することもできる。動作が正常であるか否かは、例えば、イオン発生ユニット４１〜４４で発生するイオン濃度が正常値の範囲内であるか否か、イオン発生ユニット４１〜４４が正常に装着されているか否か、イオン発生ユニット４１〜４４に内蔵のメモリ内のデータ（例えば、通算動作時間、イオン発生異常回数など）にエラーがあるか否か等を判定する。なお、マイクロコンピュータ５０が、イオン発生ユニット４１〜４４の正常・異常の判定を行うこともできる。
【００４４】
マイクロコンピュータ５０は、通算動作時間が所定の時間以上であるか否かを判定する判定部としての機能を有する。以下、マイクロコンピュータ５０による判定処理について説明する。
【００４５】
図６は本実施の形態のイオン発生装置１００によるイオン発生ユニットの通算動作時間の判定の一例を示す説明図である。図６の例では、４つのイオン発生ユニットＡ〜Ｄがイオン発生装置に装着されているとする。
【００４６】
マイクロコンピュータ５０は、複数のイオン発生ユニットＡ〜Ｄのいずれかの通算動作時間が第３時間Ｔ３（後述の第２時間Ｔ２以下）以上であるか否かを判定する。第３時間Ｔ３は、例えば、イオン発生ユニットの点検又は清掃等の実施時期を特定するための時間であり、あるいはイオン発生ユニットの交換時期が近いことを知らせる通知時点を特定するための時間であり、寿命による交換時期（後述の第１時間Ｔ１、第２時間Ｔ２）より短い時間である。
【００４７】
マイクロコンピュータ５０は、通算動作時間が第３時間Ｔ３以上のイオン発生ユニットがあると判定した場合に（図６の例では、イオン発生ユニットＡが該当）、表示パネル２５の警告灯を点灯又は点滅させる。
【００４８】
そして、保守要員等が、点検又は清掃対象、あるいは交換時期が近いイオン発生ユニット（図６の例では、イオン発生ユニットＡが該当）を特定するため、例えば、リモートコントロール等の外部装置から報知の対象となるイオン発生ユニットを通知するための通知要求信号を送信した場合、表示パネル２５のリモコン受光部５５は当該通知要求信号を取得する。
【００４９】
リモコン受光部５５で通知要求信号を取得した場合、マイクロコンピュータ５０は、点検又は清掃対象、あるいは交換時期が近いイオン発生ユニットに対応する表示部としてのＬＥＤを点灯又は点滅させる。これにより、仮にいずれかのイオン発生ユニットが点検又は清掃等の時期に到達した場合、あるいは交換時期が近い場合、保守要員等が点検又は清掃作業、あるいは交換作業を行うまではイオン発生ユニットの動作及びイオン発生装置１００の運転を継続することができる。また、保守要員等の点検又は清掃作業時、あるいは交換時期にいずれのイオン発生ユニットを点検又は清掃、あるいは交換すればよいかを容易に確認することができるので、点検又は清掃、あるいは交換等の作業の能率を高めることができる。
【００５０】
図７は本実施の形態のイオン発生装置１００によるイオン発生ユニットの通算動作時間の判定の他の例を示す説明図である。図７の例では、４つのイオン発生ユニットＡ〜Ｄがイオン発生装置に装着されているとする。
【００５１】
マイクロコンピュータ５０は、複数のイオン発生ユニットＡ〜Ｄのいずれかの通算動作時間が第１時間Ｔ１以上であるか否かを判定し、いずれかのイオン発生ユニットの通算動作時間が第１時間Ｔ１以上である場合（図７の例では、イオン発生ユニットＡが該当）、当該イオン発生ユニット以外のイオン発生ユニットの通算動作時間が第２時間Ｔ２（＜Ｔ１）以上であるか否かを判定する。
【００５２】
第１時間Ｔ１は、所定の寿命時間であり、例えば、１９０００時間などである。また、第２時間Ｔ２は、第１時間Ｔ１より短い時間であって、例えば、寿命時間には到達していないものの寿命時間に近い時間である。例えば、第１時間Ｔ１が１９０００時間とすると、第２時間Ｔ２は第１時間Ｔ１より５００時間だけ短い時間とすることができる。なお、第１時間Ｔ１、第２時間Ｔ２は、イオン発生ユニットの種類又は性能等に応じて適宜決定することができる。
【００５３】
通算動作時間が第１時間Ｔ１以上のイオン発生ユニット（図７の例では、イオン発生ユニットＡが該当）がある場合に、当該イオン発生ユニット以外のイオン発生ユニットで通算動作時間が第２時間Ｔ２（＜Ｔ１）以上であるものが存在すると判定したときは、マイクロコンピュータ５０は、通算動作時間が第１時間Ｔ１以上のイオン発生ユニット（図７の例では、イオン発生ユニットＡ）に加えて、通算動作時間が第２時間Ｔ２以上（より正確には、通算動作時間が第２時間Ｔ２以上であって第１時間Ｔ１未満）のイオン発生ユニット（図７の例では、イオン発生ユニットＣ）を通知対象とする。
【００５４】
すなわち、マイクロコンピュータ５０は、寿命により交換対象となったイオン発生ユニットＡ、Ｃに対応するルーバを閉じ、寿命になっていないイオン発生ユニットＢ、Ｄに対応するルーバを開いた状態にする。これにより、交換対象ではないイオン発生ユニットの動作を継続することができる。
【００５５】
また、マイクロコンピュータ５０は、寿命により交換対象となったイオン発生ユニットＡ、Ｃに対応する表示部（ＬＥＤ）を点灯又は点滅させ、寿命になっていないイオン発生ユニットＢ、Ｄに対応する表示部（ＬＥＤ）を消灯させることもできる。
【００５６】
交換対象となったイオン発生ユニットに対応するルーバの開閉状態及び／又は表示部（ＬＥＤ）の点灯状態で交換時期を通知する。そして、寿命となったイオン発生ユニットがある場合に、間もなく寿命となるイオン発生ユニットも存在するときは、両者のイオン発生ユニットを交換すべき対象として通知する。すなわち、寿命となったイオン発生ユニットが存在する場合に、寿命に近いイオン発生ユニットも存在するときは、同時に交換時期であることを通知する。これにより、一のイオン発生ユニットを交換した時点からあまり日数（時間）が経過していない時点で別のイオン発生ユニットを交換しなければならない事態を防止して、交換作業を効率的に行うことができる。
【００５７】
図８は本実施の形態のイオン発生装置１００のイオン発生ユニットの交換時の様子の一例を示す平面図である。図８の例は、ルーバ２１（吹出口１１）に対応するイオン発生ユニット４１の通算動作時間が第１時間Ｔ１以上となり、ルーバ２３（吹出口１３）に対応するイオン発生ユニット４３の通算動作時間が第２時間Ｔ２以上であって第１時間Ｔ１未満であったとする。
【００５８】
この場合、交換対象となるイオン発生ユニット４１、４３に対応するルーバ２１、２３は閉じた状態となり、交換対象でないイオン発生ユニット４２、４４に対応するルーバ２２、２４は開いた状態となる。また、交換対象となるイオン発生ユニット４１、４３に対応するルーバ２１、２３の符号Ｓで示す領域が光るようにＬＥＤ３１、３３を点灯状態にし、交換対象でないイオン発生ユニット４２、４４に対するルーバ２２、２４に対応するＬＥＤ３２、３４を消灯状態にする。これにより、外部から交換の有無だけでなく、いずれのイオン発生ユニットを交換すべきかを容易に判断することができる。なお、交換時の態様は図８の例に限定されるものではない。
【００５９】
交換対象のイオン発生ユニットに対応するルーバを閉じた状態にし、交換対象以外のイオン発生ユニットに対応するルーバを開いた状態にすることにより、寿命により交換対象となったイオン発生ユニットだけを動作停止し、交換対象ではないイオン発生ユニットの動作を継続することができる。
【００６０】
また、交換対象のイオン発生ユニットがあると判定した場合に、イオン発生装置１００の運転を停止するときには、例えば、交換対象のイオン発生ユニットに対応するルーバを開いた状態又は開閉動作を繰り返す状態にし、交換対象以外のイオン発生ユニットに対応するルーバを閉じた状態にすることもできる。ルーバの開閉状態により、複数のイオン発生ユニットの中から交換対象のものを容易に確認することができる。
【００６１】
また、交換対象だけでなく、点検対象又は清掃対象となったイオン発生ユニット、あるいは交換時期に近づいたイオン発生ユニットに対するルーバに対応する表示部（ＬＥＤ）を点灯又は点滅させ、点検対象、清掃対象又は交換対象ではないイオン発生ユニットに対するルーバに対応する表示部（ＬＥＤ）を消灯状態にすることもできる。これにより、表示部（ＬＥＤ３１〜３４）の表示状態により、複数のイオン発生ユニットの中から点検又は清掃対象、あるいは交換対象のものを容易に確認することができる。
【００６２】
次に、本実施の形態のイオン発生装置１００の動作について説明する。図９、図１０及び図１１は本実施の形態のイオン発生装置１００の処理手順の一例を示すフローチャートである。なお、以下の処理手順では、便宜上主体をマイクロコンピュータ５０として説明する。
【００６３】
マイクロコンピュータ５０は、動作開始信号を受信したか否かを判定し（Ｓ１１）、動作開始信号を受信していない場合（Ｓ１１でＮＯ）、ステップＳ１１の処理を続ける。動作開始信号は、例えば、リモートコントロールからイオン発生装置１００へ送信される。
【００６４】
動作開始信号を受信した場合（Ｓ１１でＹＥＳ）、マイクロコンピュータ５０は、ファン、イオン発生ユニットの動作を開始し、運転ランプを点灯し、ルーバを開く（Ｓ１２）。マイクロコンピュータ５０は、各イオン発生ユニットの通算動作時間を計時する（Ｓ１３）。
【００６５】
マイクロコンピュータ５０は、いずれかのイオン発生ユニットの通算動作時間が第３時間Ｔ３以上であるか否かを判定し（Ｓ１４）、通算動作時間が第３時間Ｔ３以上でない場合（Ｓ１４でＮＯ）、動作停止信号を受信したか否かを判定する（Ｓ１５）。動作停止信号は、例えば、リモートコントロールからイオン発生装置１００へ送信される。
【００６６】
動作停止信号を受信していない場合（Ｓ１５でＮＯ）、マイクロコンピュータ５０は、ステップＳ１３以降の処理を行い、動作停止信号を受信した場合（Ｓ１５でＹＥＳ）、ファン、イオン発生ユニットの動作を停止し、運転ランプを消灯し、ルーバを閉じ（Ｓ１６）、処理を終了する。
【００６７】
いずれかのイオン発生ユニットの通算動作時間が第３時間Ｔ３以上である場合（Ｓ１４でＹＥＳ）、マイクロコンピュータ５０は、表示パネル２５の警告灯を点灯又は点滅する（Ｓ１７）。警告灯を点灯又は点滅させることにより、例えば、保守要員に対して、イオン発生装置１００内のいずれかのイオン発生ユニットが点検又は清掃時期であることを報知することができる。
【００６８】
マイクロコンピュータ５０は、通知要求信号を受信したか否かを判定する（Ｓ１８）。通知要求信号は、例えば、保守要員によりリモートコントロールからイオン発生装置１００へ送信される。通知要求信号を受信した場合（Ｓ１８でＹＥＳ）、マイクロコンピュータ５０は、通算動作時間が第３時間Ｔ３以上のイオン発生ユニットに対応する表示部（ＬＥＤ）を点灯又は点滅する（Ｓ１９）。なお、点検又は清掃時期、あるいは交換時期に近づいた時期においては、イオン発生ユニットは問題なく動作を続けることができるので、表示部（ＬＥＤ）だけで点検又は清掃時期であること、あるいは交換時期に近づいたことを報知し、ルーバの開閉状態で報知する必要はない。
【００６９】
マイクロコンピュータ５０は、動作停止信号を受信したか否かを判定する（Ｓ２０）。当該動作停止信号は、例えば、イオン発生ユニットの点検又は清掃等のため保守要員がリモートコントロールからイオン発生装置１００へ送信される。
【００７０】
動作停止信号を受信した場合（Ｓ２０でＹＥＳ）、マイクロコンピュータ５０は、ファン、イオン発生ユニットの動作を停止し、運転ランプを消灯し、ルーバを閉じ（Ｓ２１）、処理を終了する。
【００７１】
動作停止信号を受信しない場合（Ｓ２０でＮＯ）、マイクロコンピュータ５０は、いずれかのイオン発生ユニットの通算動作時間が第１時間Ｔ１以上であるか否かを判定し（Ｓ２２）、通算動作時間が第１時間Ｔ１以上でない場合（Ｓ２２でＮＯ）、ステップＳ２０の処理を行う。
【００７２】
いずれかのイオン発生ユニットの通算動作時間が第１時間Ｔ１以上である場合（Ｓ２２でＹＥＳ）、マイクロコンピュータ５０は、後述のステップＳ２４の処理を行う。
【００７３】
通知要求信号を受信していない場合（Ｓ１８でＮＯ）、マイクロコンピュータ５０は、いずれかのイオン発生ユニットの通算動作時間が第１時間Ｔ１以上であるか否かを判定し（Ｓ２３）、通算動作時間が第１時間Ｔ１以上でない場合（Ｓ２３でＮＯ）、ステップＳ１８の処理を行う。通算動作時間が第１時間Ｔ１以上である場合（Ｓ２３でＹＥＳ）、マイクロコンピュータ５０は、後述のステップＳ２４の処理を行う。
【００７４】
マイクロコンピュータ５０は、他のイオン発生ユニットの通算動作時間が第２時間Ｔ２以上であるか否かを判定し（Ｓ２４）、他のイオン発生ユニットの通算動作時間が第２時間Ｔ２以上である場合（Ｓ２４でＹＥＳ）、通算動作時間が第１時間Ｔ１以上であるイオン発生ユニット及び通算動作時間が第２時間Ｔ２以上（であって、第１時間Ｔ１未満）であるイオン発生ユニットの動作を停止し、当該イオン発生ユニットに対応するルーバを閉じ、表示部（ＬＥＤ）を点灯又は点滅する（Ｓ２５）。これにより、寿命になったイオン発生ユニットだけでなく寿命に近いイオン発生ユニットも同時に交換することができる。なお、この場合、交換対象となっていないイオン発生ユニットの動作は停止せずに継続して行うことができる。
【００７５】
他のイオン発生ユニットの通算動作時間が第２時間Ｔ２以上でない場合（Ｓ２４でＮＯ）、通算動作時間が第１時間Ｔ１以上であるイオン発生ユニットの動作を停止し、当該イオン発生ユニットに対応するルーバを閉じ、表示部（ＬＥＤ）を点灯又は点滅する（Ｓ２６）。
【００７６】
マイクロコンピュータ５０は、動作停止信号を受信したか否かを判定する（Ｓ２７）。当該動作停止信号は、例えば、イオン発生ユニットの交換のため保守要員がリモートコントロールからイオン発生装置１００へ送信される。
【００７７】
動作停止信号を受信した場合（Ｓ２７でＹＥＳ）、マイクロコンピュータ５０は、交換対象のイオン発生ユニット以外のイオン発生ユニットの動作を停止し、ファンを停止し、運転ランプを消灯し、表示部を消灯し、ルーバをすべて閉じ（Ｓ２８）、処理を終了する。動作停止信号を受信しない場合（Ｓ２７でＮＯ）、マイクロコンピュータ５０は、ステップＳ１３以降の処理を続ける。
【００７８】
上述の実施の形態において、通算動作時間が第３時間Ｔ３以上である否かの判定処理は必須ではなく、点検又は清掃等の時期を報知する構成を具備しなくてもよい。
【００７９】
本実施の形態によれば、複数のイオン発生ユニットのうち、交換時期が近いもの同士は同時に交換時期を通知するので、短い期間（日時）の間に何度もイオン発生ユニットを交換する事態を防止することができ、効率よく交換作業を行うことができる。
【００８０】
上述の例では、１つのイオン発生装置について説明したが、上述の例に限定されるものではなく、複数のイオン発生装置を備えたイオン発生システムについても、上述の実施の形態の内容を適用することができる。以下、イオン発生システムについて説明する。
【００８１】
図１２は本実施の形態のイオン発生システムの構成の一例を示すブロック図である。イオン発生システムは、通信線８０を介して複数のイオン発生装置１５０を接続してある。イオン発生装置１５０は、図５に例示したイオン発生装置１００の構成に、さらに送信部及び受信部としての通信部１５１を備える。すなわち、イオン発生装置１５０とイオン発生装置１００との相違点は、イオン発生装置１５０が通信部１５１を備える点である。なお、イオン発生装置１５０の通信部１５１以外の構成は、イオン発生装置１００の構成と同様であるので、図示及び説明を便宜上省略する。
【００８２】
本実施の形態のイオン発生システムでは、各イオン発生装置１５０のＰＣＩ制御回路（５１〜５４）は、複数のイオン発生ユニット（４１〜４４）それぞれの通算動作時間を計時する。各イオン発生装置１５０は、自装置のいずれかのイオン発生ユニット（４１〜４４）の通算動作時間が第１時間Ｔ１以上である場合、その旨の情報を他のイオン発生装置１５０へ通信部１５１により送信するとともに、通算動作時間が第１時間Ｔ１以上のイオン発生ユニットを通知対象として通知部で通知する。具体的には、交換対象となったイオン発生ユニットに対応するルーバの開閉状態及び／又は表示部（ＬＥＤ）の点灯状態で交換時期を通知する。
【００８３】
他のイオン発生装置１５０は、その旨の情報を通信部１５１で受信し、自装置の複数のイオン発生ユニット（４１〜４４）の通算動作時間が第２時間Ｔ２（＜Ｔ１）以上であるか否かをマイクロコンピュータ（５０）により判定する。そして、他のイオン発生装置１５０は、通算動作時間が第２時間Ｔ２以上（より正確には、通算動作時間が第２時間Ｔ２以上であって第１時間Ｔ１未満）のイオン発生ユニットを通知対象として通知部で通知する。具体的には、交換対象となったイオン発生ユニットに対応するルーバの開閉状態及び／又は表示部（ＬＥＤ）の点灯状態で交換時期を通知する。
【００８４】
なお、イオン発生システムの場合も、第１時間Ｔ１は、所定の寿命時間であり、例えば、１９０００時間などである。また、第２時間Ｔ２は、第１時間Ｔ１より短い時間であって、例えば、寿命時間には到達していないものの寿命時間に近い時間である。例えば、第１時間Ｔ１が１９０００時間とすると、第２時間Ｔ２は第１時間Ｔ１より５００時間だけ短い時間とすることができる。なお、第１時間Ｔ１、第２時間Ｔ２は、イオン発生ユニットに応じて適宜決定されるものである。
【００８５】
これにより、複数のイオン発生装置を備えるイオン発生システムにおいて、一のイオン発生装置で寿命となったイオン発生ユニットがある場合に、当該一のイオン発生装置だけでなく、他のイオン発生装置で間もなく寿命となるイオン発生ユニットも存在するときは、両者のイオン発生装置内の該当のイオン発生ユニットを交換すべき対象として通知する。すなわち、寿命となったイオン発生ユニットが一のイオン発生装置で存在する場合に、他のイオン発生装置において寿命に近いイオン発生ユニットも存在するときは、同時に交換時期であることを通知する。これにより、一のイオン発生装置のイオン発生ユニットを交換した時点からあまり日数（時間）が経過していない時点で別のイオン発生装置のイオン発生ユニットを交換しなければならない事態を防止して、交換作業を効率的に行うことができる。
【００８６】
図１２の例では、通信線８０でお互いのイオン発生装置１５０が情報の送受信を行う構成であったが、有線に限定されるものではなく、無線通信を介してお互いのイオン発生装置１５０が情報の送受信を行う構成とすることもできる。
【符号の説明】
【００８７】
１  ケース
２  パネル
３  ファン
１０  取入口
１１、１２、１３、１４  吹出口
２１、２２、２３、２４  ルーバ（風向調整板、通知部）
２５  表示パネル（報知部、取得部）
３１、３２、３３、３４  ＬＥＤ（表示部、通知部）
４１、４２、４３、４４  イオン発生ユニット
５０  マイクロコンピュータ（判定部）
５１、５２、５３、５４  ＰＣＩ制御回路
５５  リモコン受光部（取得部）
１５１  通信部（送信部、受信部）
【図１】
2013105601.tif 000003
【図２】
2013105601.tif 000004
【図３】
2013105601.tif 000005
【図４】
2013105601.tif 000006
【図５】
2013105601.tif 000007
【図６】
2013105601.tif 000008
【図７】
2013105601.tif 000009
【図８】
2013105601.tif 000010
【図９】
2013105601.tif 000011
【図１０】
2013105601.tif 000012
【図１１】
2013105601.tif 000013
【図１２】
2013105601.tif 000014